(57)【要約】【課題】簡単な構造で排水路の詰まり具合を判定可能な風呂装置を提供する。【解決手段】風呂装置は、浴槽に湯水を供給する湯水供給部と、湯水供給部の作動を制御する湯水供給制御部と、を備えている。湯水供給部は、浴槽内に貯留された湯水の圧力値Ｖに基づいて浴槽内の湯水の水位を検出する水位センサを有し、浴槽内の湯水が排出される排水路に詰まりが無い基準状態での、浴槽内の湯水の排出中における経過時間ごとの圧力値Ｖを基準圧力値Ｖｉとし、浴槽内の湯水が実際に排出されている間に水位センサによって実際に検出される圧力値Ｖを実圧力値Ｖｆとし、湯水供給制御部は、基準圧力値Ｖｉと湯水の排出中において検出される実圧力値Ｖｆとに基づいて排水路の詰まり具合を判定する詰まり判定処理を実行する。【選択図】図３
2019158262.tif 000002
【特許請求の範囲】
【請求項１】
浴槽に湯水を供給する湯水供給部と、前記湯水供給部の作動を制御する湯水供給制御部と、を備えた風呂装置であって、
前記湯水供給部は、前記浴槽内に貯留された湯水の圧力値に基づいて前記浴槽内の湯水の水位を検出する水位センサを有し、
前記浴槽内の湯水が排出される排水路に詰まりが無い基準状態での、前記浴槽内の湯水の排出中における経過時間ごとの前記圧力値を基準圧力値とし、
前記浴槽内の湯水が実際に排出されている間に前記水位センサによって実際に検出される前記圧力値を実圧力値とし、
前記湯水供給制御部は、前記基準圧力値を予め記憶すると共に、当該基準圧力値と湯水の排出中において検出される前記実圧力値とに基づいて前記排水路の詰まり具合を判定する詰まり判定処理を実行する風呂装置。
【請求項２】
前記湯水供給制御部は、湯水の排出中において、任意に定められる起算時点から予め設定された設定時間内に減少した前記実圧力値の減少量を当該設定時間で除算して得られる実減少速度と、前記起算時点から前記設定時間内に減少する前記基準圧力値の減少量を当該設定時間で除算して得られる基準減少速度と、を比較することにより前記詰まり判定処理を実行する請求項１に記載の風呂装置。
【請求項３】
前記湯水供給制御部は、湯水の排出中において、任意に定められる起算時点から予め設定された設定時間が経過した時点での前記実圧力値と、前記起算時点から前記設定時間が経過した時点での前記基準圧力値と、を比較することにより前記詰まり判定処理を実行する請求項１に記載の風呂装置。
【請求項４】
前記湯水供給制御部は、湯水の排出中において前記実圧力値が起算圧力値から予め設定された設定圧力値に減少するまでに要した実経過時間と、前記基準圧力値が前記起算圧力値から前記設定圧力値に減少するまでに要する基準経過時間と、を比較することにより前記詰まり判定処理を実行する請求項１に記載の風呂装置。
【請求項５】
前記湯水供給制御部は、前記浴槽に貯留された湯水を、前記湯水供給部と前記浴槽との間で循環させると共に当該湯水を加熱して再び前記浴槽に供給する追焚処理を実行可能に構成され、
前記水位センサは、前記湯水供給部と前記浴槽との間で湯水を循環させる追焚用循環路に配置されている請求項１から４の何れか一項に記載の風呂装置。
【請求項６】
前記詰まり判定処理による判定結果をユーザーに報知する報知部を更に備えている請求項１から５の何れか一項に記載の風呂装置。
【発明の詳細な説明】
【技術分野】
【０００１】
本発明は、浴槽に湯水を供給する湯水供給部と、前記湯水供給部の作動を制御する湯水供給制御部と、を備えた風呂装置に関する。
【背景技術】
【０００２】
例えば、下記の特許文献１（特開２０１１−２００２９９号公報）には、浴槽の自動洗浄機能を有する風呂装置において、浴槽〔２〕の底部に設けられた洗浄ノズル〔３１〕の詰まりを検知する技術が開示されている。
【０００３】
しかし、一般的には、髪の毛や洗剤カス等を原因として、浴槽の湯水が排出される排水路において詰まりが生じ易くなっている。詰まりの程度が低い場合には、市販の薬剤等を用いて清掃することにより個人で詰まりを解消できることがあるが、そもそも排水路の詰まりに気付きにくいという問題がある。そして、気付かずに詰まりが進行して詰まりの程度が高くなってしまった場合、詰まりを解消するには専門業者による清掃が必要となることが多い。
【０００４】
詰まりを早期に発見するために、排水路の流量を検知する流量センサ等、排水路の詰まりを検知するための専用の機器を設けることも考えられるが、この場合、排水路周りの構造が複雑となり、ひいては風呂装置全体の構造の複雑化につながってしまう。
【先行技術文献】
【特許文献】
【０００５】
【特許文献１】特開２０１１−２００２９９号公報
【発明の概要】
【発明が解決しようとする課題】
【０００６】
本発明は、上記実状に鑑みてなされたものであり、その目的は、簡単な構造で排水路の詰まり具体を判定可能な風呂装置を提供することにある。
【課題を解決するための手段】
【０００７】
本発明に係る風呂装置の特徴構成は、
浴槽に湯水を供給する湯水供給部と、前記湯水供給部の作動を制御する湯水供給制御部と、を備えた風呂装置であって、
前記湯水供給部は、前記浴槽内に貯留された湯水の圧力値に基づいて前記浴槽内の湯水の水位を検出する水位センサを有し、
前記浴槽内の湯水が排出される排水路に詰まりが無い基準状態での、前記浴槽内の湯水の排出中における経過時間ごとの前記圧力値を基準圧力値とし、
前記浴槽内の湯水が実際に排出されている間に前記水位センサによって実際に検出される前記圧力値を実圧力値とし、
前記湯水供給制御部は、前記基準圧力値を予め記憶すると共に、当該基準圧力値と湯水の排出中において検出される前記実圧力値とに基づいて前記排水路の詰まり具合を判定する詰まり判定処理を実行する点にある。
【０００８】
本特徴構成によれば、排水路の詰まりを検知するための専用の機器を設けることなく、浴槽内の湯水の水位を検出する水位センサによって排水路の詰まり具合を判定することができる。従って、排水路周りの構造を複雑化させることなく、簡単な構造で排水路の詰まり具合を判定することができる。
【０００９】
本発明に係る風呂装置の更なる特徴構成は、
前記湯水供給制御部は、湯水の排出中において、任意に定められる起算時点から予め設定された設定時間内に減少した前記実圧力値の減少量を当該設定時間で除算して得られる実減少速度と、前記起算時点から前記設定時間内に減少する前記基準圧力値の減少量を当該設定時間で除算して得られる基準減少速度と、を比較することにより前記詰まり判定処理を実行する点にある。
【００１０】
本特徴構成によれば、詰まり判定処理を行うに際して、詰まりの無い基準状態での基準圧力値の減少速度と、実際に検出された実圧力値の減少速度と、を比較するため、詰まりの有無だけでなく詰まりの程度も判定し易くなる。
【００１１】
本発明に係る風呂装置の更なる特徴構成は、
前記湯水供給制御部は、湯水の排出中において、任意に定められる起算時点から予め設定された設定時間が経過した時点での前記実圧力値と、前記起算時点から前記設定時間が経過した時点での前記基準圧力値と、を比較することにより前記詰まり判定処理を実行する点にある。
【００１２】
本特徴構成によれば、詰まり判定処理を行うに際して、決められた時間での実圧力値と基準圧力値とを比較するため、簡易な制御構成によって排水路の詰まり具合を判定することができる。
【００１３】
本発明に係る風呂装置の更なる特徴構成は、
前記湯水供給制御部は、湯水の排出中において前記実圧力値が起算圧力値から予め設定された設定圧力値に減少するまでに要した実経過時間と、前記基準圧力値が前記起算圧力値から前記設定圧力値に減少するまでに要する基準経過時間と、を比較することにより前記詰まり判定処理を実行する点にある。
【００１４】
本特徴構成によれば、詰まり判定処理を行うに際して、実圧力値と基準圧力値とで、起算圧力値から予め設定された設定圧力値に減少するまでの経過時間を比較するため、簡易な制御構成によって排水路の詰まり具合を判定することができる。
【００１５】
本発明に係る風呂装置の更なる特徴構成は、
前記湯水供給制御部は、前記浴槽に貯留された湯水を、前記湯水供給部と前記浴槽との間で循環させると共に当該湯水を加熱して再び前記浴槽に供給する追焚処理を実行可能に構成され、
前記水位センサは、前記湯水供給部と前記浴槽との間で湯水を循環させる追焚用循環路に配置されている点にある。
【００１６】
本特徴構成によれば、追焚機能を有する風呂装置に設けられる追焚用循環路のスペースを利用して水位センサを配置することができ、更に、この水位センサによって排水路の詰まり具合を判定することができる。そのため、排水路の詰まりを検知するための専用の機器を新たに設ける場合に比べて、風呂装置全体として構造が複雑化することを抑制できる。
【００１７】
本発明に係る風呂装置の更なる特徴構成は、
前記詰まり判定処理による判定結果をユーザーに報知する報知部を更に備えている点にある。
【００１８】
本特徴構成によれば、排水路の詰まり具合をユーザーに知らせることができるため、例えば、排水路を清掃すべきタイミングをユーザーに知らせることも可能となる。
【図面の簡単な説明】
【００１９】
【図１】風呂装置の概略構成図
【図２】風呂装置の制御ブロック図
【図３】第１実施形態に係る詰まり判定処理の説明図
【図４】第２実施形態に係る詰まり判定処理の説明図
【図５】第３実施形態に係る詰まり判定処理の説明図
【発明を実施するための形態】
【００２０】
本発明に係る風呂装置は、浴槽への湯張りを自動で行うことができ、また、浴槽に貯留された湯水が排出される際の排水路の詰まり具合を判定可能に構成されている。以下、本発明に係る風呂装置の実施形態について、図面を参照して説明する。但し、以下の実施形態は一例であり、これによって本発明が限定的に解釈されるわけではない。
【００２１】
１．第１実施形態
１−１．風呂装置の機械構成
図１に示すように、風呂装置１００は、浴室９の浴槽９１に湯水を供給する湯水供給部Ｇと、湯水供給部Ｇの作動を制御する湯水供給制御部Ｈと、を備えている。浴槽９１には、浴槽９１内に貯留された湯水を外部に排出するための排水路９２が設けられている。
【００２２】
湯水供給部Ｇは、熱源として機能し、給水路２１から供給された水を加熱する給湯用加熱部１１を備えると共に、この給湯用加熱部１１によって加熱された水を湯水として浴槽９１に供給するように構成されている。また、湯水供給部Ｇは、浴槽９１内に貯留された湯水を当該湯水供給部Ｇとの間で循環させる追焚用循環路Ｃと、この追焚用循環路Ｃを循環する湯水を加熱する追焚用加熱部１２と、を備えると共に、追焚用循環路Ｃによって加熱された湯水を浴槽９１に供給するように構成されている。なお、図示の例では、湯水供給部Ｇは、給湯栓３と給湯用加熱部１１とを接続する給湯路３１を有しており、給湯用加熱部１１によって加熱された湯水を給湯栓３にも供給できるように構成されている。
【００２３】
給湯用加熱部１１は、ガス燃焼式のバーナｇ１と、上下２段に配置された主熱交換器１１Ａ及び潜熱回収式の熱交換器としての潜熱回収熱交換器１１Ｂと、を有している。また、追焚用加熱部１２も、給湯用加熱部１１と同様に、ガス燃焼式のバーナｇ２と、上下２段に配置された主熱交換器１２Ａ及び潜熱回収式の熱交換器としての潜熱回収熱交換器１２Ｂと、を有している。図示は省略するが、給湯用加熱部１１及び追焚用加熱部１２における潜熱回収熱交換器１１Ｂ，１２Ｂにて熱交換された後の燃焼排ガスは、排気路を通して外部に排出される。また、潜熱回収熱交換器１１Ｂ，１２Ｂから生成される酸性の凝縮水（燃焼生成水）は、中和器によって中和された後に外部に排出される。
【００２４】
給水路２１と給湯路３１との間には、これらを接続する給水バイパス路２２が設けられている。給水バイパス路２２は、給湯用加熱部１１を迂回するように、給水路２１と給湯路３１とを接続している。これにより、給湯用加熱部１１によって加熱された湯水と給水路２１に供給される未加熱の水とを混合させることが可能となっている。
【００２５】
給湯路３１には、上流側から順に、給湯用加熱部１１からの湯量と給水バイパス路２２からの水量との混合比を調整するミキシング弁３２と、ミキシング弁３２により混合された後の湯水の温度を検出する出湯サーミスタ３３と、が設けられている。
【００２６】
給湯路３１と追焚用循環路Ｃとの間には、これらを接続する湯張り路４１が設けられている。本実施形態では、追焚用循環路Ｃは、浴槽用戻り路５１と浴槽用往き路６１とを含んで構成されており、上述の湯張り路４１は、給湯路３１と追焚用循環路Ｃの一部である浴槽用戻り路５１とを接続している。図示の例では、湯張り路４１は、給湯路３１におけるミキシング弁３２と給湯栓３との間から分岐して浴槽用戻り路５１に接続している。湯張り路４１には湯張り逆止弁４２が設けられており、この湯張り逆止弁４２によって浴槽用戻り路５１から湯張り路４１への逆流が抑制される。
【００２７】
湯水供給部Ｇは、浴槽９１内に貯留された湯水の圧力値Ｖに基づいて浴槽９１内の湯水の水位を検出する水位センサ５２と、浴槽９１内に貯留された湯水を吸引して追焚用循環路Ｃに循環させる追焚用循環ポンプ５４と、浴槽９１内から吸引された湯水の温度を検出する戻りサーミスタ５３と、水流を検出する水流スイッチ５５と、を有している。本実施形態では、水位センサ５２と、戻りサーミスタ５３と、追焚用循環ポンプ５４とは、湯水供給部Ｇと浴槽９１との間で湯水を循環させる追焚用循環路Ｃに配置されている。図示の例では、浴槽９１からの流れ方向を基準として上流側から順に、水位センサ５２、戻りサーミスタ５３、追焚用循環ポンプ５４、及び水流スイッチ５５が、追焚用循環路Ｃの一部である浴槽用戻り路５１に設けられている。そして、前述の湯張り路４１は、浴槽用戻り路５１における追焚用循環ポンプ５４と水流スイッチ５５との間に接続している。
【００２８】
１−２．風呂装置の制御構成
次に、風呂装置１００の制御構成について、図２も参照して説明する。
【００２９】
風呂装置１００は、湯水供給部Ｇの作動を制御する湯水供給制御部Ｈを備えている。湯水供給制御部Ｈは、マイクロコンピュータを備えたプログラム制御方式のコントローラで構成されている。湯水供給制御部Ｈは、ユーザーによって操作されるリモコン装置Ｒとの間で通信可能に構成されている。図１に示す例では、リモコン装置Ｒは、浴室９の壁面に設けられている。但し、このような構成に限定されることなく、リモコン装置Ｒは、例えば炊事場など、浴室９外に設けられていても良く、更には、浴室９の内外において複数設けられていても良い。なお、図示は省略するが、リモコン装置Ｒには、運転の開始と停止とを指令する運転スイッチ、風呂自動運転を指令する自動スイッチ、追焚運転を指令する追焚スイッチ等が設けられている。
【００３０】
図２に示すように、湯水供給制御部Ｈは、リモコン装置Ｒ、出湯サーミスタ３３、往きサーミスタ６２、戻りサーミスタ５３、及び水位センサ５２からの情報を取得可能に構成されている。本実施形態では、湯水供給制御部Ｈは、時間計測機能を有するタイマー８からの情報も取得可能に構成されている。
【００３１】
本実施形態では、湯水供給制御部Ｈは、運転制御部Ｈ１を備えており、この運転制御部Ｈ１によって湯水供給部Ｇの作動（運転）を制御するように構成されている。運転制御部Ｈ１は、ユーザーによってリモコン装置Ｒに入力された設定温度及び設定湯量等に基づいて各機器を制御し、後述する湯張り処理及び追焚処理を実行する。
【００３２】
ここで、本発明に係る風呂装置１００は、例えば髪の毛や洗剤カス等によって排水路９２に詰まりが生じた場合に、その詰まり具合を判定することができるように構成されている。本実施形態では、湯水供給制御部Ｈは、排水路９２の詰まり具合を判定する判定部Ｈ２と、詰まり具合の判定のために各種の値を演算する演算部Ｈ３と、各種の情報や値等を記憶する記憶部Ｈ４と、を備えている。
【００３３】
記憶部Ｈ４は、浴槽９１内の湯水が排出される排水路９２に詰まりが無い基準状態での、浴槽９１内の湯水の排出中における経過時間ごとの圧力値Ｖを基準圧力値Ｖｉとして記憶している（図３も参照）。このように、湯水供給制御部Ｈは、記憶部Ｈ４を介して基準圧力値Ｖｉを予め記憶している。例えば、湯水供給制御部Ｈは、浴槽９１を設置後の試運転時に、湯水貯留量が所定の貯留量（初期基準圧力値Ｖｉ０）からゼロになるまでの水位センサ５２によって検出された圧力値を継時的に記憶している。
【００３４】
演算部Ｈ３は、浴槽９１内の湯水が実際に排出されている間に水位センサ５２によって実際に検出される圧力値Ｖを実圧力値Ｖｆとして取得可能に構成されていると共に、タイマー８によって計測される時間情報を取得可能に構成されている。また、演算部Ｈ３は、記憶部Ｈ４に記憶された情報も取得可能に構成されている。本実施形態では、演算部Ｈ３は、基準圧力値Ｖｉの情報を記憶部Ｈ４から取得する。
【００３５】
本実施形態では、運転制御部Ｈ１（湯水供給制御部Ｈ）は、ユーザーによるリモコン装置Ｒの操作に応じて、自動で浴槽９１に湯水を張る自動湯張り処理と、浴槽９１に貯留された湯水を湯水供給部Ｇと浴槽９１との間で循環させると共に当該湯水を加熱して再び浴槽９１に供給する追焚処理を実行可能に構成されている。運転制御部Ｈ１は、自動湯張り処理及び追焚処理の実行に際して、水位センサ５２による検出値に基づいて浴槽９１に供給される湯水の湯量（水位）が目標設定湯量となるように、また、出湯サーミスタ３３や戻りサーミスタ５３などの検出値に基づいて湯水の温度が目標設定温度となるように、各水路に設けられた弁および各加熱部１１，１２等を制御する。
【００３６】
そして、詳細は後述するが、湯水供給制御部Ｈは、基準圧力値Ｖｉと湯水の排出中において検出される実圧力値Ｖｆとに基づいて排水路９２の詰まり具合を判定する詰まり判定処理を実行する。ここで、「排水路９２の詰まり具合」とは、排水路９２における湯水の流れにくさを指す。排水路９２の詰まりは、例えば、髪の毛や洗剤カス等が排水路９２の内部に張り付くなどして流路を狭くすることによって生じる。
【００３７】
本実施形態では、風呂装置１００は、詰まり判定処理による判定結果をユーザーに報知する報知装置７を更に備えている。図１に示す例では、報知装置７は、リモコン装置Ｒと一体的に構成されている。換言すれば、リモコン装置Ｒが、詰まり判定処理による判定結果をユーザーに報知する報知機能を有している。報知装置７は、表示手段や音声発声手段等を有し、これらの手段によって詰まり判定処理による判定結果をユーザーに報知する。この場合、例えば、報知装置７は、詰まり判定処理による判定結果を随時ユーザーに報知するようにしても良いし、詰まり具合に応じて排水路９２を清掃すべきタイミングにのみ判定結果をユーザーに報知するようにしても良い。なお、報知装置７は、例えばスマホ等の情報端末を介して、上記のような判定結果をユーザーに報知するように構成されていても良い。
【００３８】
次に、詰まり判定処理について図３を参照して詳細に説明する。図３は、水位センサ５２によって検出される圧力値Ｖと、タイマー８によって計測される時刻Ｔとの関係を示しており、縦軸を圧力値Ｖ、横軸を時刻Ｔとしている。そして、図中において実線で示される曲線が、排水路９２に詰まりが無い基準状態での圧力値Ｖ（基準圧力値Ｖｉ）である。破線で示される曲線が、実際に水位センサ５２によって検出される圧力値Ｖ（実圧力値Ｖｆ）である。図中の基準圧力値Ｖｉ０（初期基準圧力値Ｖｉ０）では、浴槽９１の大部分に湯水が貯留されている状態であり、最大設定湯量（例えば２００リットル）の湯水が浴槽９１に貯留されている状態である。ここでは、最大設定湯量よりも少ない量の湯水、換言すれば、初期基準圧力値Ｖｉ０よりも小さい値である第１実圧力値Ｖｆ１に相当する量の湯水が浴槽９１に貯留された状態から湯水の排出が開始される場合を例に説明する。湯水の排出が開始される直前までは、基準圧力値Ｖｉと実圧力値Ｖｆとは等しい。すなわち、湯水の排出が開始される直前（又は開始時点）の第１実圧力値Ｖｆ１とこれに対応する第１基準圧力値Ｖｉ１とは等しい。
【００３９】
湯水供給制御部Ｈは、湯水の排出中において、任意に定められる起算時点から予め設定された設定時間Ｔｓ内に減少した実圧力値Ｖｆの減少量（実減少量Ｒｆ）を当該設定時間Ｔｓで除算して得られる実減少速度と、前記起算時点から設定時間Ｔｓ内に減少する基準圧力値Ｖｉの減少量（基準減少量Ｒｉ）を当該設定時間Ｔｓで除算して得られる基準減少速度と、を比較することにより詰まり判定処理を実行する。ここでは、実減少量Ｒｆ、基準減少量Ｒｉ、実減少速度、及び基準減少速度は、演算部Ｈ３によって算出される。またここでは、起算時点は、湯水の排出が開始される時刻である「第１時刻Ｔ１」として定められる。
【００４０】
本実施形態では、実減少量Ｒｆは、湯水の排出が開始される第１時刻Ｔ１の第１実圧力値Ｖｆ１と、第１時刻Ｔ１から設定時間Ｔｓ経過後の第２時刻Ｔ２における第２実圧力値Ｖｆ２と、の差によって算出される。また、基準減少量Ｒｉは、第１時刻Ｔ１に相当する時刻における第１基準圧力値Ｖｉ１と、設定時間Ｔｓ経過後の第２時刻Ｔ２に相当する時刻における第２基準圧力値Ｖｉ２と、の差によって算出される。
【００４１】
湯水供給制御部Ｈは、演算部Ｈ３によって算出された実減少速度と基準減少速度とを判定部Ｈ２により比較して、実減少速度が基準減少速度に比べて所定速度遅い場合に、排水路９２に詰まり傾向有りと判定する。本実施形態では、湯水供給制御部Ｈは、実減少速度が、基準減少速度のα％以下である場合に、排水路９２に詰まり傾向有りと判定する。この場合、「α％」は任意に設定することができる。例えば「α％」は、５０％〜９０％の範囲のいずれかに設定されると好適である。本実施形態では、「α％」は、９０％に設定される。これによれば、詰まりの程度が高くない状態、すなわち、ユーザー個人によって排水路９２の清掃が可能な詰まりの状態で、詰まり傾向有りとの判定を行える。
【００４２】
上述のように、湯水供給制御部Ｈは、詰まり判定処理の実行後、その判定結果を、報知装置７を介してユーザーに報知する。例えば、ユーザーへの報知は、表示手段および音声発声手段の一方または双方によって行われれば良い。
【００４３】
２．第２実施形態
次に、第２実施形態に係る風呂装置１００について図４を参照して説明する。本実施形態では、詰まり判定処理の実行時における比較対象が上記第１実施形態と異なる。以下では、上記第１実施形態と異なる点を中心に説明する。特に説明しない点については、上記第１実施形態と同様である。
【００４４】
本実施形態では、湯水供給制御部Ｈは、湯水の排出中において、任意に定められる起算時点から予め設定された設定時間Ｔｓが経過した時点での実圧力値Ｖｆと、前記起算時点から設定時間Ｔｓが経過した時点での基準圧力値Ｖｉと、を比較することにより詰まり判定処理を実行する。ここでは、起算時点は、湯水の排出が開始される時刻である「第１時刻Ｔ１」として定められる。
【００４５】
図４に示すように、本実施形態では、湯水の排出が開始される第１時刻Ｔ１から起算して、設定時間Ｔｓが計測される。第１時刻Ｔ１では、実圧力値Ｖｆと基準圧力値Ｖｉとは等しくなっている。湯水供給制御部Ｈは、第１時刻Ｔ１から設定時間Ｔｓ経過後の第２時刻Ｔ２における第３実圧力値Ｖｆ３と第３基準圧力値Ｖｉ３とを比較して、第３実圧力値Ｖｆ３が第３基準圧力値Ｖｉ３よりも大きい場合に、排水路９２に詰まり傾向有りと判定する。本実施形態では、湯水供給制御部Ｈは、第３実圧力値Ｖｆ３が、第３基準圧力値Ｖｉ３のβ％である場合に、排水路９２に詰まり傾向有りと判定する。この場合、「β％」は任意に設定することができる。例えば「β％」は、１１０％〜１５０％の範囲のいずれかに設定されると好適である。本実施形態では、「β％」は、１１０％に設定される。
【００４６】
３．第３実施形態
次に、第３実施形態に係る風呂装置１００について図５を参照して説明する。本実施形態では、詰まり判定処理の実行時における比較対象が上記第１実施形態と異なる。以下では、上記第１実施形態と異なる点を中心に説明する。特に説明しない点については、上記第１実施形態と同様である。
【００４７】
本実施形態では、湯水供給制御部Ｈは、湯水の排出中において実圧力値Ｖｆが任意に定められる起算圧力値Ｖｃから予め設定された設定圧力値Ｖｓに減少するまでに要した実経過時間Ｔｆと、基準圧力値Ｖｉが起算圧力値Ｖｃから設定圧力値Ｖｓに減少するまでに要する基準経過時間Ｔｉと、を比較することにより詰まり判定処理を実行する。ここで、設定圧力値Ｖｓは、任意の値に設定することができる。但し、設定圧力値Ｖｓを、最大設定湯量又はこれに近い湯量に相当する圧力値Ｖ（初期基準圧力値Ｖｉ０又はこれに近い圧力値Ｖ）に設定するなどして高く設定し過ぎると、実際に浴槽９１に貯留されている湯水の量が、湯水の排出開始以前において設定圧力値Ｖｓに相当する湯量に満たない場合がある。そのため、例えば、設定圧力値Ｖｓは、初期基準圧力値Ｖｉ０の２０％〜６０％の範囲のいずれかに設定されていると好適である。これによれば、浴槽９１に貯留されている湯水の元々の量が少ない場合であっても詰まり判定処理を適切に実行することができる。但し、上記のような構成に限定されることなく、例えば設定圧力値Ｖｓは、湯水の排出を開始する時点における圧力値Ｖの２０％〜６０％の範囲のいずれかに設定されていても良い。
【００４８】
図５に示すように、本実施形態では、湯水の排出が開始される際の圧力値Ｖを起算圧力値Ｖｃとして、実圧力値Ｖｆ及び基準圧力値Ｖｉが、起算圧力値Ｖｃから設定圧力値Ｖｓになるまでに要する経過時間をそれぞれ計測する。換言すれば、湯水の排出が開始される第１時刻Ｔ１から起算して、実経過時間Ｔｆおよび基準経過時間Ｔｉが計測される。第１時刻Ｔ１では、実圧力値Ｖｆと基準圧力値Ｖｉとは等しくなっている。図示の例では、実圧力値Ｖｆは、第３時刻Ｔ３において設定圧力値Ｖｓに等しい値となっている。そのため、実経過時間Ｔｆは、湯水の排出が開始された第１時刻Ｔ１から第３時刻Ｔ３までに掛かった時間となる。そして、基準圧力値Ｖｉは、第２時刻Ｔ２において設定圧力値Ｖｓに等しい値となっている。そのため、基準経過時間Ｔｉは、湯水の排出が開始された第１時刻Ｔ１から第２時刻Ｔ２までに掛かった時間となる。本実施形態では、湯水供給制御部Ｈは、実経過時間Ｔｆが、基準経過時間Ｔｉのγ％である場合に、排水路９２に詰まり傾向有りと判定する。この場合、「γ％」は任意に設定することができる。例えば「γ％」は、１１０％〜１５０％の範囲に設定されると好適である。本実施形態では、「γ％」は、１１０％に設定される。なお、本実施形態のように実圧力値Ｖｆ及び基準圧力値Ｖｉが設定圧力値Ｖｓになるまでの経過時間Ｔｆ、Ｔｉに基づいて詰まり判定処理を実行することの他、実圧力値Ｖｆ及び基準圧力値Ｖｉが設定圧力値Ｖｓになるまでの圧力減少速度に基づいて詰まり判定処理を実行しても良い。
【００４９】
４．その他の実施形態
次に、風呂装置１００のその他の実施形態について説明する。
【００５０】
（１）上記の各実施形態では、湯水の排出が開始される第１時刻Ｔ１を基準に詰まり判定処理を実行する例について説明した。しかし、このような例に限定されることなく、湯水の排出が行われている途中の時刻Ｔを基準に詰まり判定処理を実行しても良い。換言すれば、湯水が排出されている途中において詰まり判定処理を開始するようにしても良い。具体的には、湯水の排出開始後における任意の時点において、起算時点（第１時刻Ｔ１）を定めても良い。この場合、第１時刻Ｔ１から設定時間Ｔｓ経過後の第２時刻Ｔ２までに減少する実圧力減少速度と基準圧力減少速度とを比較することにより、詰まり判定処理を実行しても良い。また、この場合における第２時刻Ｔ２の実圧力値Ｖｆと基準圧力値Ｖｉとを比較することにより、詰まり判定処理を実行しても良い。また、具体的には、湯水の排出開始から所定時間経過後における任意の圧力値Ｖとして所定の起算圧力値Ｖｃを定め、実圧力値Ｖｆ及び基準圧力値Ｖｉが、起算圧力値Ｖｃから設定圧力値Ｖｓになるまでに要する経過時間Ｔｆ、Ｔｉをそれぞれ計測しても良い。換言すれば、湯水の排出が開始される第１時刻Ｔ１から所定の第１時間経過して、実圧力値Ｖｆが起算圧力値Ｖｃとなった時点から設定圧力値Ｖｓになるまでに要する経過時間Ｔｆ、及び湯水の排出が開始される第１時刻Ｔ１から第２時間（上記第１時間とは異なる時間）経過して、基準圧力値Ｖｉが起算圧力値Ｖｃとなった時点から設定圧力値Ｖｓになるまでに要する経過時間Ｔｉをそれぞれ計測し、両経過時間を比較することにより詰まり判定処理を実行しても良い。
【００５１】
（２）上記の実施形態では、水位センサ５２によって検出される圧力値Ｖそれ自体に基づいて、詰まり判定処理が実行される例について説明した。しかし、このような例に限定されることなく、圧力値Ｖに相当する湯量（あるいは水位）に基づいて、詰まり判定処理が実行されても良い。説明を加えると、上述の実減少量Ｒｆおよび基準減少量Ｒｉは、圧力値Ｖを換算した湯量に基づいて算出されても良い。そして、このようにして算出された実減少量および基準減少量に基づいて、実減少速度および基準減少速度が算出される。また、例えば、第３実施形態における設定圧力値Ｖｓを設定湯量に換算して、詰まり判定処理を実行するようにしても良い。
【００５２】
（３）なお、上述した各実施形態で開示された構成は、矛盾が生じない限り、他の実施形態で開示された構成と組み合わせて適用することも可能である。その他の構成に関しても、本明細書において開示された実施形態は全ての点で単なる例示に過ぎない。従って、本開示の趣旨を逸脱しない範囲内で、適宜、種々の改変を行うことが可能である。
【産業上の利用可能性】
【００５３】
本発明は、浴槽に湯水を供給する湯水供給部と、前記湯水供給部の作動を制御する湯水供給制御部と、を備えた風呂装置に利用することができる。
【符号の説明】
【００５４】
１００  ：風呂装置
７      ：報知装置
８      ：タイマー
２１    ：給水路
２２    ：給水バイパス路
５２    ：水位センサ
９１    ：浴槽
９２    ：排水路
Ｃ      ：追焚用循環路
Ｇ      ：湯水供給部
Ｈ      ：湯水供給制御部
Ｔｆ    ：実経過時間
Ｔｉ    ：基準経過時間
Ｔｓ    ：設定時間
Ｖ      ：圧力値
Ｖｆ    ：実圧力値
Ｖｆ１  ：第１実圧力値
Ｖｆ２  ：第２実圧力値
Ｖｆ３  ：第３実圧力値
Ｖｉ    ：基準圧力値
Ｖｉ１  ：第１基準圧力値
Ｖｉ２  ：第２基準圧力値
Ｖｉ３  ：第３基準圧力値
Ｖｓ    ：設定圧力値
Ｖｃ    ：起算圧力値
【図１】
2019158262.tif 000003
【図２】
2019158262.tif 000004
【図３】
2019158262.tif 000005
【図４】
2019158262.tif 000006
【図５】
2019158262.tif 000007